(57)【要約】【課題】付加価値のある間仕切りパネルを提供する。また、遮音性のある間仕切りパネルを提供する。【解決手段】複数のパネルを組み合わせて仕切った後の一方の空間に、上下方向下側となる下側寝室空間が形成され、且つ仕切った後の他方には、配置が下側寝室空間の上側となる上側寝室空間が形成されるものとして間仕切りパネル５を構成する。また、このような間仕切りパネル５のパネルを、一対の板材とその一対の板材間に存するハニカムコア材とを有する第一及び第二のハニカムパネルと、第一及び第二のハニカムパネル間に存するフレーム及び遮音手段とを備えて構成する。【選択図】    図２
2004316219.tif 000002
【特許請求の範囲】
【請求項１】
複数のパネルを組み合わせて仕切った後の一方の空間に、上下方向下側となる下側寝室空間が形成され、且つ仕切った後の他方には、配置が前記下側寝室空間の上側となる上側寝室空間が形成されるものとして全体を構成した
ことを特徴とする間仕切りパネル。
【請求項２】
請求項１に記載の間仕切りパネルにおいて、
前記上側寝室空間の上に前記パネルを更に配置した
ことを特徴とする間仕切りパネル。
【請求項３】
請求項１又は請求項２に記載の間仕切りパネルにおいて、
前記パネルを、一対の板材と該一対の板材間に存するハニカムコア材とを有する第一及び第二のハニカムパネルと、該第一及び第二のハニカムパネル間に存するフレーム及び遮音手段とを備えて構成した
ことを特徴とする間仕切りパネル。
【請求項４】
請求項３に記載の間仕切りパネルにおいて、
前記遮音手段を、前記第一又は第二のハニカムパネルのいずれか一方に密着する遮音板と、該遮音板及び前記いずれか一方に対するいずれか他方間に存する充填材とを備えて構成した
ことを特徴とする間仕切りパネル。
【発明の詳細な説明】
【０００１  】
【発明の属する技術分野】
本発明は、複数のパネルの組み合わせにより部屋空間を仕切る間仕切りパネルに関する。
【０００２  】
【従来の技術】
図１４において、引用符号１０１は一つの部屋を二室１０２、１０２に仕切るための間仕切りパネルを示している。その間仕切りパネル１０１は、複数のパネル１０３を備えて構成されており、複数のパネル１０３を組み合わせた状態で用いられるようになっている。図１４中においては、部屋中央に設けられたドア１０４の位置に応じて間仕切りパネル１０１が配設されている（例えば特許文献１参照）。
【０００３  】
複数のパネル１０３の上面には、特に図示しないが、差し込み凸部が設けられている。一方、部屋の天井１０５側には、選択可能な多数の差し込み凹部１０６が形成されている。差し込み凹部１０６は、正三角形配置において分散状態に形成されている。
【０００４  】
複数のパネル１０３を組み合わせて間仕切りパネル１０１を配設する場合には、各パネル１０３の差し込み凸部を、選択した差し込み凹部１０６に差し込むとともに、各パネル１０３の下面を床面１０７上に支承する。
【０００５  】
間仕切りパネル１０１を配設することにより、一つの部屋が二室１０２、１０２に分けられ、その二室１０２、１０２のいずれかへはドア１０４を通じて出入りすることができるようになる。尚、引用符号１０８、１０８は二室１０２、１０２それぞれに設けられたベッドを示している。
【０００６  】
【特許文献１】
特開２０００−４５４３０号公報  （第３頁、第１図）
【０００７  】
【発明が解決しようとする課題】
ところで、上記従来の間仕切りパネル１０１にあっては、一つの部屋を単なる二室１０２、１０２に仕切るだけの機能しか備えておらず、付加価値のないものであった。また、複数のパネル１０３を組み合わせるだけの構成であることから、十分な遮音がなされているとは言えなかった。
【０００８  】
本発明は、上述した事情に鑑みてなされるもので、付加価値のある間仕切りパネルを提供することを課題とする。また、遮音性のある間仕切りパネルを提供することを課題とする。
【０００９  】
【課題を解決するための手段】
上記課題を解決するためなされた請求項１記載の本発明の間仕切りパネルは、複数のパネルを組み合わせて仕切った後の一方の空間に、上下方向下側となる下側寝室空間が形成され、且つ仕切った後の他方には、配置が前記下側寝室空間の上側となる上側寝室空間が形成されるものとして全体を構成したことを特徴としている。
【００１０  】
請求項２記載の本発明の間仕切りパネルは、請求項１に記載の間仕切りパネルにおいて、前記上側寝室空間の上に前記パネルを更に配置したことを特徴としている。
【００１１  】
請求項３記載の本発明の間仕切りパネルは、請求項１又は請求項２に記載の間仕切りパネルにおいて、前記パネルを、一対の板材と該一対の板材間に存するハニカムコア材とを有する第一及び第二のハニカムパネルと、該第一及び第二のハニカムパネル間に存するフレーム及び遮音手段とを備えて構成したことを特徴としている。
【００１２  】
請求項４記載の本発明の間仕切りパネルは、請求項３に記載の間仕切りパネルにおいて、前記遮音手段を、前記第一又は第二のハニカムパネルのいずれか一方に密着する遮音板と、該遮音板及び前記いずれか一方に対するいずれか他方間に存する充填材とを備えて構成したことを特徴としている。
【００１３  】
請求項１に記載された本発明によれば、複数のパネルを組み合わせて間仕切りパネルが形成されると、上下二段の寝室空間が形成される。具体的には、間仕切りパネルにより仕切られた後の一方の空間に下側寝室空間が形成され、仕切られた後の他方の空間には、上側寝室空間が形成される。間仕切りパネルは、一つの部屋を二室に仕切る一般的な機能の他に、二段ベッドとしての付加価値のある機能を有する。
【００１４  】
請求項２に記載された本発明によれば、上側寝室空間の上にもパネルが配置される。このような位置にパネルが配置されることにより、上側寝室空間で生じた音が遮られる。すなわち、天井を介して上記一方の空間への音漏れが起こり難くなる。上側寝室空間の上のパネルにより、間仕切りパネルの遮音性が向上する。
【００１５  】
請求項３に記載された本発明によれば、第一及び第二のハニカムパネルと、これらの間に存するフレーム及び前記遮音手段とを備えてパネルが構成される。パネルは、ハニカムパネルを含むことから、軽量でありながら十分な強度を有する。また、前記遮音手段を含むことから、遮音性の向上が図れる。
【００１６  】
請求項４に記載された本発明によれば、遮音板と充填材とを備えて遮音手段が構成される。遮音板は、パネルを構成する第一又は第二のハニカムパネルのいずれか一方に密着し、充填材は、その遮音板及び第一又は第二のハニカムパネルのいずれか他方間に存する。
【００１７  】
【発明の実施の形態】
以下、図面を参照して本発明の実施の形態を説明する。
図１は本発明の間仕切りパネルを用いたユニットルームの一実施の形態を示す正面図である。また、図２はユニットルームの断面図、図３はユニットルームの内部状態を示す斜視図、図４は構成に本発明の間仕切りパネルを有するベッドモジュールの斜視図、図５はユニットルーム本体（壁部分）の構成説明図、図６はユニットルーム本体（天井部分）の構成説明図、図７はパネルの構成説明図、図８はパネルの組み合わせに係る説明図、図９はベッドモジュール（ベッドモジュール本体部分）の構成説明図、図１０は間仕切りパネルの構成説明図、図１１は間仕切りパネルを構成するフレームの斜視図、図１２は間仕切りパネル（ベッド上及びベッド下用のパネル）の斜視図、図１３は間仕切りパネル（フレーム部分のパネル）の斜視図である。
【００１８  】
図１ないし図４において、引用符号１はユニットルームを示している。そのユニットルーム１は、ユニットルーム本体２と、ユニットルーム本体２の内部に設けられるベッドモジュール３とを備えて構成されている。また、構成部材の見方を変えて説明すると、ユニットルーム１は、複数のパネル４と、本発明の間仕切りパネル５と、これら複数のパネル４及び本発明の間仕切りパネル５により区画形成される第一ユニットルーム空間６及び第二ユニットルーム空間７とを備えて構成されている。
【００１９  】
ユニットルーム１は、コンパクトなものであって、所望の設置スペースに設置することができるようにその全体が移設自在に構成されている。また、ユニットルーム１は、空きスペースの有効利用を図ることが可能であり、且つ部屋としての機能を十分に備え、且つ落ち着き感を与えられるものとして構成されている。以下、上記各構成部材について詳細に説明する。
【００２０  】
図１ないし図１３において、上記ユニットルーム本体２は、複数のパネル４と、ユニットルーム本体２の四隅に設けられるコーナー型材８と、後述する付属品とを備えて構成されている。また、ベッドモジュール３は、ベッドと間仕切りとを兼用する本発明の間仕切りパネル５と、その間仕切りパネル５に設けられる寝具９及び後述する付属品とを備えて構成されている。
【００２１  】
複数のパネル４は、ユニットルーム１の壁部分及び天井部分を構成するものであって、本形態においてはハニカムパネル（これに限定するものではない）がパネル４として用いられている。パネル４は、軽量且つ十分な強度を有している。
【００２２  】
複数のパネル４の種類としては、フロントパネル用のパネル４ａ〜４ｄと、バックパネル用のパネル４ｅ〜４ｈと、サイドパネルＬ用のパネル４ｉ〜４ｌと、サイドパネルＲ用のパネル４ｍ〜４ｐと、天井パネル用のパネル４ｑ〜４ｔとが挙げられる。フロントパネル用のパネル４ａ及び４ｂには、ドア１０、１０が設けられている。
【００２３  】
尚、ユニットルーム本体２は、本形態において、設置先の床１１を利用するために床無し構造となっている。すなわち、床パネル用のパネルは設定されてないものとする（床無し構造に限定するものではない）。
【００２４  】
各パネル４ａ〜４ｔは、表面板となる一対の板材１２、１２と、その一対の板材１２、１２間に存するハニカムコア材１３とを備えて構成されている。また、このような構成の各パネル４ａ〜４ｔは、難燃性を有するように形成されている。板材１２、１２とハニカムコア材１３は、接着剤により固定されている。
【００２５  】
各パネル４ａ〜４ｔのうち、パネル４ａ、４ｂ、４ｅ、４ｆ、４ｉ、４ｌ、４ｍ、及び４ｐの周囲には、パネル枠材１４と、コーナー型材８に対して嵌合するチャンネル材１５と、パネル連結用のチャンネル材１６とが設けられている。具体的な配置について説明すると、パネル両側部には、パネル枠材１４が突出しないように設けられている。これに対してパネル上部には、パネル枠材１４が突出するように設けられている。チャンネル材１５、１６は、パネル両側部のパネル枠材１４にそれぞれネジ止めにより固定されている。尚、チャンネル材１６には、隣り合うパネル４のパネル枠材１４が差し込まれるようになっている。
【００２６  】
各パネル４ａ〜４ｔのうち、パネル４ｃ、４ｇ、４ｊ、及び４ｎの周囲には、パネル枠材１４と、パネル連結用のチャンネル材１６とが設けられている。具体的な配置について説明すると、パネル両側部の一方には、パネル枠材１４が突出しないように設けられている。これに対してパネル両側部の他方及びパネル上部には、パネル枠材１４が突出するように設けられている。チャンネル材１６は、上記一方側のパネル枠材１４にネジ止めにより固定されている。
【００２７  】
各パネル４ａ〜４ｔのうち、パネル４ｄ、４ｈ、４ｋ、及び４ｏの周囲には、パネル枠材１４が設けられている。具体的な配置について説明すると、パネル両側部及びパネル上部には、パネル枠材１４が突出するように設けられている。
【００２８  】
各パネル４ａ〜４ｔのうち、パネル４ｑ及び４ｔの周囲には、パネル枠材１４と、パネル連結用のチャンネル材１６とが設けられている。具体的な配置について説明すると、パネル４ｑ及び４ｔの周囲には、パネル枠材１４が突出しないように設けられている。チャンネル材１６は、パネル４ｑの場合、パネル４ｒ側のパネル枠材１４にネジ止めにより固定されている。また、チャンネル材１６は、パネル４ｔの場合、パネル４ｓ側のパネル枠材１４にネジ止めにより固定されている。
【００２９  】
各パネル４ａ〜４ｔのうち、パネル４ｒの周囲には、パネル枠材１４と、パネル連結用のチャンネル材１６とが設けられている。パネル枠材１４は、パネル４ｑ側のみ突出するように設けられている。チャンネル材１６は、パネル４ｓ側のパネル枠材１４にネジ止めにより固定されている。
【００３０  】
各パネル４ａ〜４ｔのうち、パネル４ｓの周囲には、パネル枠材１４が設けられている。パネル枠材１４は、パネル４ｒ及びパネル４ｔ側に突出するように設けられている。
【００３１  】
ここで、各パネル４ａ〜４ｐの組み付けについて説明すると、次のような連結によって各パネル４ａ〜４ｐが組み付けられている。すなわち、図示のパネル構成及びパネル配置からも分かるように、フロントパネル側では、パネル４ａのチャンネル材１５とコーナー型材８の端部とが連結されている。また、パネル４ａのチャンネル材１６とパネル４ｃの側部のパネル枠材１４とが連結されている。また、パネル４ｃのチャンネル材１６とパネル４ｄの一方側部のパネル枠材１４とが連結されている。また、パネル４ｄの他方側部のパネル枠材１４とパネル４ｂのチャンネル材１６とが連結されている。また、パネル４ｂのチャンネル材１５とコーナー型材８の端部とが連結されている。
【００３２  】
バックパネル側では、パネル４ｅのチャンネル材１５とコーナー型材８の端部とが連結されている。また、パネル４ｅのチャンネル材１６とパネル４ｇの側部のパネル枠材１４とが連結されている。また、パネル４ｇのチャンネル材１６とパネル４ｈの一方側部のパネル枠材１４とが連結されている。また、パネル４ｈの他方側部のパネル枠材１４とパネル４ｆのチャンネル材１６とが連結されている。また、パネル４ｆのチャンネル材１５とコーナー型材８の端部とが連結されている。
【００３３  】
サイドパネルＬ側では、パネル４ｉのチャンネル材１５とコーナー型材８の端部とが連結されている。また、パネル４ｉのチャンネル材１６とパネル４ｊの側部のパネル枠材１４とが連結されている。また、パネル４ｊのチャンネル材１６とパネル４ｋの一方側部のパネル枠材１４とが連結されている。また、パネル４ｋの他方側部のパネル枠材１４とパネル４ｌのチャンネル材１６とが連結されている。また、パネル４ｌのチャンネル材１５とコーナー型材８の端部とが連結されている。
【００３４  】
サイドパネルＲ側では、パネル４ｍのチャンネル材１５とコーナー型材８の端部とが連結されている。また、パネル４ｍのチャンネル材１６とパネル４ｎの側部のパネル枠材１４とが連結されている。また、パネル４ｎのチャンネル材１６とパネル４ｏの一方側部のパネル枠材１４とが連結されている。また、パネル４ｏの他方側部のパネル枠材１４とパネル４ｐのチャンネル材１６とが連結されている。また、パネル４ｐのチャンネル材１５とコーナー型材８の端部とが連結されている。
【００３５  】
各パネル４ａ〜４ｐにおける各パネル上部のパネル枠材１４には、四つの型材１７がネジ止めにより固定されている。その四つの型材１７は、各パネル４ａ〜４ｐを連結するために設けられている。また、四つの型材１７は、天井パネル用のパネル４ｑ〜４ｔの固定部としても設けられている（パネル４ｑ〜４ｔが後述する連結状態のままで四つの型材１７に例えばネジ止め固定される）。
【００３６  】
天井パネル用のパネル４ｑ〜４ｔは、次のように組み付けられている。すなわち、図示のパネル構成及びパネル配置からも分かるように、パネル４ｑのチャンネル材１６とパネル４ｒのパネル枠材１４とが連結されている。また、パネル４ｒのチャンネル材１６とパネル４ｓの一方のパネル枠材１４とが連結されている。また、パネル４ｓの他方のパネル枠材１４とパネル４ｔのチャンネル材１６とが連結されている。
【００３７  】
ユニットルーム本体２における上記付属品について説明すると、パネル４ｅ及び４ｆには、机（又は鏡台）１８やスイッチプレート（コンセントを含む）１９やブラケット２０が取り付けられている。また、パネル４ｇ及び４ｈには、ナイトランプ２１やスイッチプレート２２が取り付けられている。引用符号１８ａは机１８に付随する椅子を示している。尚、必要に応じて壁掛けタイプの薄型テレビや音響設備等を取り付けてもよいものとする。
【００３８  】
上記パネル構成において、パネル４ｑ〜４ｔがパネル４ａ〜４ｐに固定されると、床無し箱形状のユニットルーム本体２の組み立てが完了する。
【００３９  】
本形態において、各パネル４ａ〜４ｔの厚みは、４０ｍｍとなるように形成されている。また、ユニットルーム１の高さは、天井パネル用のパネル４ｑ〜４ｔを除いた状態で２４００ｍｍとなるように形成されている。また、ユニットルーム１の幅は、３２６５ｍｍとなるように形成されている。また、ユニットルーム１の奥行きは、２９６０ｍｍとなるように形成されている。
【００４０  】
上記間仕切りパネル５は、一対の板材及びその一対の板材間に存するハニカムコア材を有する複数の第一のハニカムパネル２３と、同じく一対の板材及びその一対の板材間に存するハニカムコア材を有する複数の第二のハニカムパネル２４と、第一及び第二のハニカムパネル２３、２４間に存するフレーム２５及び遮音手段２６とを備えて構成されている。尚、本形態の間仕切りパネル５は、荷物置きや衣服掛けに利用可能なバゲージ空間を確保するための部分も含まれて構成されている（これに限定するものではない）。
【００４１  】
第一のハニカムパネル２３は、第二のハニカムパネル２４よりも厚く形成されている。本形態において、第一のハニカムパネル２３は４０ｍｍ、第二のハニカムパネル２４は１５ｍｍの厚さに形成されている。第一のハニカムパネル２３及び第二のハニカムパネル２４の構成に関しては、上記パネル４ａ〜４ｔの構成と同じであるものとする。また、難燃性を有しているものとする。
【００４２  】
複数の第一のハニカムパネル２３の種類としては、垂直分断−上側壁パネル用の第一のハニカムパネル２３ａ、２３ａ、及び２３ｂと、垂直分断−下側壁パネル用の第一のハニカムパネル２３ｃ〜２３ｅと、フロント側固定パネル用の第一のハニカムパネル２３ｆと、第一のハニカムパネル２３ａ及び２３ｂの下側のフレームに取り付けられる第一のハニカムパネル２３ｇ及び２３ｈと、上記バゲージ空間形成用の第一のハニカムパネル２３ｉ〜２３ｋと、水平分断−上側ベッドパネル用の第一のハニカムパネル２３ｌとが挙げられる。
【００４３  】
一方、複数の第二のハニカムパネル２４の種類としては、バック側固定パネル用の第二のハニカムパネル２４ａ、２４ｂ、及び２４ｇと、垂直分断−上側壁パネル用の第二のハニカムパネル２４ｃ〜２４ｅと、フロント側固定パネル用の第二のハニカムパネル２４ｆと、垂直分断−下側壁パネル用の第二のハニカムパネル２４ｈ、２４ｈ、及び２４ｉと、フロント側固定パネル用の第二のハニカムパネル２４ｊと、上記バゲージ空間形成用の第二のハニカムパネル２４ｋ〜２４ｍと、水平分断−下側ベッドパネル用の第二のハニカムパネル２４ｎとが挙げられる。
【００４４  】
フレーム２５は、長短様々な複数の角筒２５ａを図１１のように組み合わせて形成されている。また、フレーム２５は、垂直分断−上側壁パネル用の部分２５ｂ、水平分断−ベッドパネル用の部分２５ｃ、及び、垂直分断−下側壁パネル用の部分２５ｄが断面視クランク形状となるように組み立てられている。このようなフレーム２５には、複数の第一のハニカムパネル２３及び第二のハニカムパネル２４がネジ止めにより固定されている。尚、図１１のフレーム２５の上部に角筒２５ａを更に追加して、図２のような天井パネルに沿う部分を有する間仕切りパネルを形成してもよいものとする（遮音効果が高まることになる）。
【００４５  】
遮音手段２６は、第一のハニカムパネル２３に密着する遮音板２６ａと、その遮音板２６ａ及び第二のハニカムパネル２４間に存する充填材２６ｂとを備えて構成されている（遮音板２６ａが第二のハニカムパネル２４に密着し、遮音板２６ａ及び第一のハニカムパネル２３間に充填材２６ｂが存する構成であってもよいものとする）。遮音手段２６は、間仕切りパネル５の両側において人が静か又は極めて静かと感じるような特性（例えば４０ｄＢ以下）を得るために設けられている。
【００４６  】
尚、遮音板２６ａとしては、三井金属エンジニアリング社製のオンシャット複合板、大阪化工社製のホーンシート、東邦亜鉛社製の遮音シート又は遮音材などが一例に挙げられる。また、充填材２６ｂとしてはグラスウールや石膏ボードなどが一例に挙げられる（充填材２６ｂを用いずに真空状態にしてもよいものとする）。
【００４７  】
本形態の遮音板２６ａは、板状であって５ｍｍの厚さに形成されている。また、充填材２６ｂの充填スペースは、角筒２５ａのサイズ分だけ確保されている。すなわち、８０ｍｍ確保されている。
【００４８  】
ベッドモジュール３における上記付属品について説明すると、本発明の間仕切りパネル５には、ヘッドボード２７やベッドホルダー２８が取り付けられている。また、間仕切りパネル５の一方側（第一ユニットルーム空間６側）には、手すり２９や階段３０が取り付けられている。引用符号３１は上記バゲージ空間に存するコートハンガーフックを示している。また、引用符号３２は同じく上記バゲージ空間に存するバゲージラックを示している。
【００４９  】
上記第一ユニットルーム空間６は、パネル４ｂ、４ｄ、４ｆ、４ｈ、４ｍ〜４ｐ、４ｓ、及び４ｔと、間仕切りパネル５とにより区画形成される空間であって、第一空間３３とその第一空間３３に連続する第二空間３４とを有している。また、第一ユニットルーム空間６は、これら第一空間３３及び第二空間３４の連続によりＬ字状の空間となるように形成されている（図２参照）。第一ユニットルーム空間６には、上記付属品が存するようになっている。
【００５０  】
第一空間３３は、人が立ったり座ったり歩いたりすることが可能、且つパネル４ｂのドア１０を介して人が出入り可能な空間となるように形成されている。このような第一空間３３には、バゲージ空間（後述のバゲージ空間３５ａと同じ）が形成されている。第二空間３４は、主に人が横になるための専用の空間となるように形成されている。すなわち、第二空間３４は、ベッドモジュール３における下側寝室空間として形成されている。
【００５１  】
上記第二ユニットルーム空間７は、パネル４ａ、４ｃ、４ｅ、４ｇ、４ｉ〜４ｌ、４ｑ、及び４ｒと、間仕切りパネル５とにより区画形成される空間であって、第一空間３５とその第一空間３５に連続する第二空間３６とを有している。また、第二ユニットルーム空間７は、これら第一空間３５及び第二空間３６の連続により逆Ｌ字状の空間となるように形成されている（図２参照。第一ユニットルーム空間６を逆Ｌ字状の空間、第二ユニットルーム空間７をＬ字状の空間にしてもよいものとする）。第二ユニットルーム空間７には、上記付属品が存するようになっている。
【００５２  】
第一空間３５は、第一ユニットルーム空間６の第一空間３３と同様であって、人が立ったり座ったり歩いたりすることが可能、且つパネル４ａのドア１０を介して人が出入り可能な空間となるように形成されている。このような第一空間３３には、バゲージ空間３５ａが形成されている。第二空間３６は、第一ユニットルーム空間６の第二空間３４と同様であって、主に人が横になるための専用の空間となるように形成されている。すなわち、第二空間３６は、ベッドモジュール３における上側寝室空間として形成されている。
【００５３  】
その他、ユニットルーム１の細部について説明すると、ドア１０、１０間の外壁部分には、突出部３７が形成されている（図１参照。あえて突出させなくてもよいものとする）。その突出部３７には、ユニットルーム１の前を通りかかる人に対して広告表示を行うことが可能なコマーシャル手段（不図示）が任意に設けられている。ここで、コマーシャル手段の一例を挙げると、例えば液晶ディスプレイ表示器や掲示板やポスターなどが挙げられるものとする。
【００５４  】
以上、図１ないし図１３を参照しながら説明してきたように、本発明の間仕切りパネル５は、部屋空間を仕切る一般的な機能の他に、二つの寝室空間を形成する機能を有する。従って、付加価値のある間仕切りパネルを提供することができる。尚、以上ではユニットルーム１を例に挙げて説明してきたが、本発明の間仕切りパネル５の配置はこれに限定されるものでなく、住宅やビル等の建物の部屋であってもよいものとする。本発明の間仕切りパネル５は、生活様式の変化や室の使い方の変更に応じて間取りを自由に変えていくことができるものとする。
【００５５  】
その他、本発明は本発明の主旨を変えない範囲で種々変更実施可能なことは勿論である。
【００５６  】
【発明の効果】
以上説明したように、本発明によれば、付加価値のある間仕切りパネルを提供することができるという効果を奏する。また、遮音性のある間仕切りパネルを提供することができるという効果を奏する。
【図面の簡単な説明】
【図１】本発明の間仕切りパネルを用いたユニットルームの一実施の形態を示す正面図である。
【図２】ユニットルームの断面図である。
【図３】ユニットルームの内部状態を示す斜視図である。
【図４】構成に本発明の間仕切りパネルを有するベッドモジュールの斜視図である。
【図５】ユニットルーム本体（壁部分）の構成説明図である。
【図６】ユニットルーム本体（天井部分）の構成説明図である。
【図７】パネルの構成説明図である。
【図８】パネルの組み合わせに係る説明図である。
【図９】ベッドモジュール（ベッドモジュール本体部分）の構成説明図である。
【図１０】間仕切りパネルの構成説明図である。
【図１１】間仕切りパネルを構成するフレームの斜視図である。
【図１２】間仕切りパネル（ベッド上及びベッド下用のパネル）の斜視図である。
【図１３】間仕切りパネル（フレーム部分のパネル）の斜視図である。
【図１４】従来例の間仕切りパネルの説明図である。
【符号の説明】
１  ユニットルーム
２  ユニットルーム本体
３  ベッドモジュール
４  パネル
５  間仕切りパネル
６  第一ユニットルーム空間
７  第二ユニットルーム空間
８  コーナー型材
９  寝具
１０  ドア
１１  設置先の床
１２  板材
１３  ハニカムコア材
１４  パネル枠材
１５、１６  チャンネル材
１７  型材
１８  机
１８ａ  椅子
１９、２２  スイッチプレート
２０  ブラケット
２１  ナイトランプ
２３  第一のハニカムパネル
２４  第二のハニカムパネル
２５  フレーム
２５ａ  角筒
２６  遮音手段
２７  ヘッドボード
２８  ベッドホルダー
２９  手すり
３０  階段
３１  コートハンガーフック
３２  バゲージラック
３３、３５  第一空間
３４  第二空間（下側寝室空間）
３６  第二空間（上側寝室空間）
３５ａ  バゲージ空間
３７  突出部
【図１】
2004316219.tif 000003
【図２】
2004316219.tif 000004
【図３】
2004316219.tif 000005
【図４】
2004316219.tif 000006
【図５】
2004316219.tif 000007
【図６】
2004316219.tif 000008
【図７】
2004316219.tif 000009
【図８】
2004316219.tif 000010
【図９】
2004316219.tif 000011
【図１０】
2004316219.tif 000012
【図１１】
2004316219.tif 000013
【図１２】
2004316219.tif 000014
【図１３】
2004316219.tif 000015
【図１４】
2004316219.tif 000016